【手続補正書】
【提出日】平成19年5月17日(2007.5.17)
【手続補正１】
【補正対象書類名】明細書
【補正対象項目名】発明の名称
【補正方法】変更
【補正の内容】
【発明の名称】画像形成システム、その制御方法、及び記憶媒体
【手続補正２】
【補正対象書類名】明細書
【補正対象項目名】特許請求の範囲
【補正方法】変更
【補正の内容】
【特許請求の範囲】
【請求項１】  印刷手段により印刷されたシートを積載する積載手段に対してシートを出力するのに先立って、フィニッシング手段により前記シートに対するフィニッシング処理を要するフィニッシングジョブを含む複数のジョブを受付可能であり、
且つ、前記積載手段におけるシートの積載状況に基いて前記積載手段に対するシートの出力を制限する第１タイプの制限処理と、処理対象のジョブの前記印刷手段による印刷処理に必要なシートの枚数に基いて前記積載手段に対するシートの出力を制限する第２タイプの制限処理を実行可能な画像形成システムであって、
前記第１タイプの制限処理と前記第２タイプの制限処理のうちの操作手段からのオペレータの要求によって指定されるタイプの制限処理を、前記画像形成システムにより実行させる制御手段を有し、
前記制御手段は、前記第１タイプの制限処理と前記第２タイプの制限処理のうちの前記操作手段からのオペレータの要求によって指定されるタイプの制限処理を、処理対象のジョブが前記フィニッシングジョブである場合に前記画像形成システムにより実行させることを特徴とする画像形成システム。
【請求項２】 請求項１記載の画像形成システムであって、
前記制御手段は、
前記操作手段からのオペレータの要求に基いて前記第１タイプの制限処理と前記第２タイプの制限処理の何れか一方を、前記フィニッシングジョブのために前記画像形成システムにより実行させることを特徴とする画像形成システム。
【請求項３】  請求項１又は２記載の画像形成システムであって、
前記制御手段は、
前記操作手段からのオペレータの要求に基いて前記第１タイプの制限処理と前記第２タイプの制限処理の両方を、前記フィニッシングジョブのために前記画像形成システムにより実行させることを特徴とする画像形成システム。
【請求項４】  請求項１乃至３の何れかに記載の画像形成システムであって、
前記操作手段は、前記印刷手段を有する画像形成装置が具備することを特徴とする画像形成システム。
【請求項５】  請求項１乃至４の何れかに記載の画像形成システムであって、
前記操作手段は、前記印刷手段を有する画像形成装置とデータ通信可能な外部装置が具備することを特徴とする画像形成システム。
【請求項６】  請求項１乃至５の何れかに記載の画像形成システムであって、
前記フィニッシング手段は、
前記印刷手段により印刷処理されたシートに対しステイプル処理および製本処理の少なくとも何れかのフィニッシング処理を行うことを特徴とする画像形成システム。
【請求項７】  請求項１乃至６の何れかに記載の画像形成システムであって、
前記制御手段は、
前記印刷手段による印刷処理を禁止することで、前記積載手段に対するシートの出力を制限することを特徴とする画像形成システム。
【請求項８】  請求項１乃至７の何れかに記載の画像形成システムであって、
前記制御手段は、
前記印刷手段からのシートを前記積載手段とは別の積載手段へ出力させることで、前記積載手段に対するシートの出力を制限することを特徴とする画像形成システム。
【請求項９】  印刷手段により印刷されたシートを積載する積載手段に対してシートを出力するのに先立って、フィニッシング手段により前記シートに対するフィニッシング処理を要するフィニッシングジョブを含む複数のジョブを受付可能であり、
且つ、前記積載手段におけるシートの積載状況に基いて前記積載手段に対するシートの出力を制限する第１タイプの制限処理と、処理対象のジョブの前記印刷手段による印刷処理に必要なシートの枚数に基いて前記積載手段に対するシートの出力を制限する第２タイプの制限処理を実行可能な画像形成システムの制御方法であって、
前記制御方法は、
前記第１タイプの制限処理と前記第２タイプの制限処理のうちの操作手段からのオペレータの要求によって指定されるタイプの制限処理を、処理対象のジョブが前記フィニッシングジョブである場合に前記画像形成システムにより実行させることを特徴とする制御方法。
【請求項１０】  請求項９記載の制御方法であって、
前記制御方法は、
前記操作手段からのオペレータの要求に基いて前記第１タイプの制限処理と前記第２タイプの制限処理の何れか一方を、前記フィニッシングジョブのために前記画像形成システムにより実行させることを特徴とする制御方法。
【請求項１１】  請求項９又は１０記載の制御方法であって、
前記制御方法は、
前記操作手段からのオペレータ要求に基いて前記第１タイプの制限処理と前記第２タイプの制限処理の両方を、前記フィニッシングジョブのために前記画像形成システムにより実行させることを特徴とする制御方法。
【請求項１２】  請求項９乃至１１の何れかに記載の制御方法であって、
前記操作手段は、前記印刷手段を有する画像形成装置が具備することを特徴とする制御方法。
【請求項１３】 請求項９乃至１２の何れかに記載の制御方法であって、
前記操作手段は、前記印刷手段を有する画像形成装置とデータ通信可能な外部装置が具備することを特徴とする制御方法。
【請求項１４】  請求項９乃至１３の何れかに記載の制御方法であって、
前記フィニッシング手段は、
前記印刷手段により印刷処理されたシートに対しステイプル処理および製本処理の少なくとも何れかのフィニッシング処理を行うことを特徴とする制御方法。
【請求項１５】  請求項９乃至１４の何れかに記載の制御方法であって、
前記制御方法は、
前記印刷手段による印刷処理を禁止することで、前記積載手段に対するシートの出力を制限することを特徴とする制御方法。
【請求項１６】  請求項９乃至１５の何れかに記載の制御方法であって、
前記制御方法は、
前記印刷手段からのシートを前記積載手段とは別の積載手段へ出力させることで、前記積載手段に対するシートの出力を制限することを特徴とする制御方法。
【請求項１７】  請求項９乃至１６の何れかに記載の制御方法をコンピュータに実行させるためのコンピュータ読取可能な記憶媒体。
【手続補正３】
【補正対象書類名】明細書
【補正対象項目名】０００８
【補正方法】変更
【補正の内容】
【０００８】
本発明は、このような背景に鑑みてなされたもので、その課題は、印刷されたシートを積載する積載手段に対するシートの出力を適切に制限できるようにすることになることにある。
【手続補正４】
【補正対象書類名】明細書
【補正対象項目名】０００９
【補正方法】変更
【補正の内容】
【０００９】
【課題を解決するための手段】
上記課題を解決するため、本発明は、印刷手段により印刷されたシートを積載する積載手段に対してシートを出力するのに先立って、フィニッシング手段により前記シートに対するフィニッシング処理を要するフィニッシングジョブを含む複数のジョブを受付可能であり、且つ、前記積載手段におけるシートの積載状況に基いて前記積載手段に対するシートの出力を制限する第１タイプの制限処理と、処理対象のジョブの前記印刷手段による印刷処理に必要なシートの枚数に基いて前記積載手段に対するシートの出力を制限する第２タイプの制限処理を実行可能な画像形成システムであって、前記第１タイプの制限処理と前記第２タイプの制限処理のうちの操作手段からのオペレータの要求によって指定されるタイプの制限処理を、前記画像形成システムにより実行させる制御手段を有し、前記制御手段は、前記第１タイプの制限処理と前記第２タイプの制限処理のうちの前記操作手段からのオペレータの要求によって指定されるタイプの制限処理を、処理対象のジョブが前記フィニッシングジョブである場合に前記画像形成システムにより実行させることを特徴とする。
【手続補正５】
【補正対象書類名】明細書
【補正対象項目名】００１０
【補正方法】変更
【補正の内容】
【００１０】
また、本発明は、印刷手段により印刷されたシートを積載する積載手段に対してシートを出力するのに先立って、フィニッシング手段により前記シートに対するフィニッシング処理を要するフィニッシングジョブを含む複数のジョブを受付可能であり、且つ、前記積載手段におけるシートの積載状況に基いて前記積載手段に対するシートの出力を制限する第１タイプの制限処理と、処理対象のジョブの前記印刷手段による印刷処理に必要なシートの枚数に基いて前記積載手段に対するシートの出力を制限する第２タイプの制限処理を実行可能な画像形成システムの制御方法であって、前記制御方法は、前記第１タイプの制限処理と前記第２タイプの制限処理のうちの操作手段からのオペレータの要求によって指定されるタイプの制限処理を、処理対象のジョブが前記フィニッシングジョブである場合に前記画像形成システムにより実行させることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】０３４１
【補正方法】変更
【補正の内容】
【０３４１】
【発明の効果】
以上説明したように、本発明によれば、印刷されたシートを積載する積載手段に対するシートの出力を適切に制限でき、生産性の低下を防止することができる。